(57)【要約】      （修正有）【課題】汎用性の高い包装用容器用の閉鎖具用の逆止弁を提供する。【解決手段】包装用容器の閉鎖具用の逆止弁１において、逆止弁１が弁座部４と、弁体６と、連通孔５と、筒壁部３とを備えるものとし、連通孔５を、弁座部４の周縁部４ａと連続する様に形成されるものとし、弁体６を、弁座部４の中央部と連結していると共に常時は連通孔５を閉塞するものとし、筒壁部３を、該閉鎖具に設けられた流路１０Ａ内に嵌合可能に形成されるものとする。【選択図】図２
0003201111.tif 000002
【実用新案登録請求の範囲】
【請求項１】
包装用容器の閉鎖具用の逆止弁であって、
弁座部と、弁体と、連通孔と、筒壁部とを備えており、
該連通孔は、該弁座部の周縁部と連続する様に形成されており、
該弁体は、該弁座部の中央部と連結していると共に常時は該連通孔を閉塞するものであり、
該筒壁部は、該閉鎖具に設けられた流路内に嵌合可能に形成されていること、を特徴とする逆止弁。
【請求項２】
前記弁座部は、前記逆止弁の天壁に設けられることを特徴とする請求項１に記載の逆止弁。
【請求項３】
前記筒壁部には、その外周面に嵌合用の突起が形成されていることを特徴とする請求項１又は２に記載の逆止弁。
【請求項４】
前記閉鎖具は、スパウトであり、前記流路の内壁は、該スパウトの内壁であることを特徴とする請求項１、２又は３に記載の逆止弁。
【請求項５】
前記閉鎖具は、キャップであり、前記流路の内壁は、該キャップの内筒であることを特徴とする請求項１、２又は３に記載の逆止弁。
【考案の詳細な説明】
【技術分野】
【０００１】
本考案は、逆止弁に関し、より詳細には、包装用容器用のキャップやスパウト等の閉鎖具用の逆止弁である。
【背景技術】
【０００２】
従来、キャップやスパウト等の閉鎖具で密閉性が保持された包装用容器がある。この様な包装用容器は、流通時には、密閉性が保持されているものの開封後の密閉性の低下による酸素等の流入は避けることができないものであった。特に、内容物が、調味料等の使い切りが想定されないものの場合は、味や品質に影響を及ぼすので問題である。そこで、逆止弁を設けて、酸素等の流入を防止する閉鎖具が開発されている（例えば、特許文献１及び２を参照）。
【先行技術文献】
【特許文献】
【０００３】
【特許文献１】特開２０１４−５０６０号公報
【特許文献２】特許第４０３９５０７号公報
【考案の概要】
【考案が解決しようとする課題】
【０００４】
この様な逆止弁を有する閉鎖具の問題点は、包装用容器の口部や閉鎖具そのものに、逆止弁を設けるための専用の構造を必要とするため、製造工程の複雑化を避けることができず、又、既に普及している閉鎖具に直ちに適用することが困難、換言すれば、汎用性に乏しい点にある。
【０００５】
そこで、本考案は、汎用性の高い包装用容器用の閉鎖具用の逆止弁を提供することを目的とする。
【課題を解決するための手段】
【０００６】
本考案は、包装用容器の閉鎖具用の逆止弁であって、弁座部と、弁体と、連通孔と、筒壁部とを備えており、該連通孔は、該弁座部の周縁部と連続する様に形成されており、該弁体は、該弁座部の中央部と連結していると共に常時は該連通孔を閉塞するものであり、該筒壁部は、該弁座部の周縁と連続すると共に該閉鎖具に設けられた流路内に嵌合可能に形成されていること、を特徴とする逆止弁である。
【０００７】
本考案は、前記弁座部を、前記逆止弁の天壁に設けることもできる。又、本考案は、前記筒壁部の外周面に嵌合用の突起を形成することもできる。又、本考案は、前記閉鎖具をスパウトとし、前記流路の内壁を該スパウトの内壁とすることもできる。又、本考案は、前記閉鎖具をキャップとし、前記流路の内壁を該キャップの内筒とすることもできる。
【考案の効果】
【０００８】
本考案は、逆止弁を、それとは別体の包装用容器の閉鎖具に設けられた流路内壁に嵌合可能になっているため、該閉鎖具の製造工程を簡略することができると共により汎用性を高めることができる。
【図面の簡単な説明】
【０００９】
【図１】本発明の実施形態を示す図であり、（ａ）は平面図であり、（ｂ）は底面図であり、（ｃ）は斜視図である。
【図２】本発明の実施形態の使用態様を示す図であり、（ａ）は図１のＡ−Ａ断面図に相当する図であり、（ｂ）は内容物の注出時の様子を示す（ａ）の要部拡大図に相当する図である。
【図３】本発明の実施形態の別の使用態様を示す図であり、図１のＡ−Ａ断面図に相当する図である。
【考案を実施するための形態】
【００１０】
本考案の実施形態を図１乃至３に基づき説明する。先ず、本実施形態の構成について説明する。逆止弁１は、天壁２と、天壁２の外縁部２ａより垂下する筒壁部３とを備えている。逆止弁１は、包装用容器の閉鎖具（例えば、スパウトＳやキャップＣ）に取付けられて使用されるものである。天壁２には、外縁部２ａを残すように平面視略円状に弁座部４が凹設されていると共に連通孔５を有している。
【００１１】
連結孔５は、弁座部４の周縁部４ａと連続する様に形成された、包装用容器の内外を連通させるための孔であり、本実施形態においては四方に計４箇所形成されている。又、弁座部４は、その中央部４ｂに、弁体６が溶着によって連結されており、弁座としての役割を担っている。
【００１２】
弁体６は、略円形のフィルム状又はシート状のものであり、例えば、シリコーンゴムにより成形される。また、弁体６は、弁座部４に溶着された中心部を除き自由端となっており、常時（非注出時）に連通孔５を閉塞し、包装用容器の内外が連通しない様に設けられている。又、弁体６は、内容物を注出するために包装用容器が把持された際に、その内圧の増加又は連通孔５内の内容物によって押し上げられ、連通孔５を開放し、包装用容器の内外を連通する様になっている。
【００１３】
筒壁部３は、前記閉鎖具Ｃ，Ｓに設けられた内容物を注出するための流路内に嵌合可能に略円筒形に形成され、必要に応じて、その外面には周方向に延在する嵌合突起（図示せず）が形成される。
【００１４】
次に、本実施形態の使用時の態様について説明する。図２は、逆止弁１をスパウトＳに取付けた例である。スパウトＳは、その中心部を貫通する様に形成された孔状の流路１０Ａを有しており、逆止弁１は流路１０Ａ、例えば、内壁１１内に嵌合によって取付けられる。
【００１５】
また、図３は、逆止弁１をキャップＣに取付けた例である（尚、図３は、ヒンジキャップの例であるが当然スクリューキャップ等の他のキャップにも取り付け可能である）。キャップＣは、包装用容器の口部を嵌着させるための溝部１２を形成するために内筒１３が設けられており、内筒１３から注出筒１４にかけて流路１０Ｂが設けられている。逆止弁１は、例えば、内筒１３内に嵌着され、キャップＣに取付けられる。この様にすることで、溝部１２に包装用容器の口部が嵌着された際に内筒１３が内方に変形することを利用して逆止弁１を流路１０Ｂ内に留めることが可能となる。
【００１６】
逆止弁１をスパウトＳに取付けた場合を例として、内容物を注出する際の逆止弁１の様子を説明すると、使用者が内容物を注出するために包装用容器を傾け、そして同容器を把持すると、内容物は矢印Ａで示した様に連通孔５内へと移動する。そして、弁体６は、内容物又は上記把持により生じた内圧によって押し上げられ、連通孔５の弁体６による閉塞は解除され、包装容器の内外は連通され、矢印Ａで示した様に内容物は注出される。
【００１７】
その後、使用者が上記容器の傾きを元へと戻すと、弁体６も元の状態へと戻り、再度、連通孔５は閉塞される。内容物が液体の場合は、弁座部４に内容物が多少残留するが、本実施形態においては、当該残留した内容物は、弁座部４と弁体６との間に僅かに残る様にして連通孔５を通じて包装用容器内に戻る（サックバック）する様になっている。弁座部４と弁体６との間に僅かに内容物が残ることで、弁座部４と弁体６との間に表面張力が働き、より強い力で連通孔５を閉塞することができる様になる。
【００１８】
本考案を上記実施形態に基づき説明したが、本考案は上記実施形態に限定されるものではなく、考案の要旨を変更しない範囲を適宜変更可能である。例えば、弁体６の弁座部４への連結方法は、必ずしも溶着でなくてもよく、接着、嵌め込み、インサート成形、その他の方法であってもよい。
【符号の説明】
【００１９】
１    逆止弁        ２    天壁          ２ａ  外縁部        ３    筒壁部
４    弁座部        ４ａ  周縁部        ４ｂ  中央部        ５    連通孔
６    弁体          １０  流路          １１  内壁          １２  溝部
１３  内筒          １４  注出筒        Ｃ    キャップ      Ｓ    スパウト
【図１】
0003201111.tif 000003
【図２】
0003201111.tif 000004
【図３】
0003201111.tif 000005